(57)【要約】【課題】エアフィルタ清掃装置の構造が簡略化され、小形かつ安価で、排気ファンあるいは埃排出流路に埃が溜まらない空気調和機の室内機を提供する。【解決手段】本空気調和機の室内機は、エアフィルタの表面を移動可能に配置されエアフィルタの埃を除去する挨除去部材を備える挨除去部と埃収容部を有する清掃ユニットと、この清掃ユニットに適宜連通し、この清掃ユニットに収集した埃を機外に排出する排気ファンと排気ダクトを有する排気ユニットとを備え、排気ユニットは、清掃ユニットとの連通時、埃収容部に排気ファンを接続し、埃収容部に集めた埃を排気ファンから埃収容部に送りこまれる空気と共に排気ダクトを介して機外に排出する構成とし、埃収容部の空気取入口の開口面積を排気ファンの空気吐出口の開口面積より大きく形成する。【選択図】  図２
2008039290.tif 000002
【特許請求の範囲】
【請求項１】
室内機本体の空気吸込口と吹出口を連通する送風路に、エアフィルタ、熱交換器、送風機、前記エアフィルタを清掃するエアフィルタ清掃装置を配置する空気調和機の室内機において、
前記エアフィルタ清掃装置は、エアフィルタの表面を移動可能に配置され、前記エアフィルタの挨除去部材を備える挨除去部及び除去した埃を収容する埃収容部を有する清掃ユニットと、
前記室内機本体一端側部に配置され、前記清掃ユニットに適宜連通し、この清掃ユニットに収集した埃を機外に排出するための空気吐出口を設けた排気ファンと、搬送された埃と空気を機外に排出するための吸気用接続口を設けた排気ダクトを有する排気ユニットを備え、
前記清掃ユニットの埃収容部には一端側に空気取入口、他端側に空気排出口を設け、
前記埃収容部の空気取入口の開口面積を前記排気ファンの空気吐出口の開口面積より大きく形成し、
前記清掃ユニットが、排気ユニットと連通した状態で、前記排気ファンの空気吐出口と前記埃収容部の空気取入口、前記埃収容部の空気排出口と排気ダクトの吸気用接続口を各々連通し、前記排気ファンの運転により、前記埃収容部内に空気を送り込み埃収容部内の埃を空気と共に排気ダクトを介して機外に排出する
ことを特徴とする空気調和機の室内機。
【請求項２】
前記埃収容部の空気排出口の開口面積を前記排気ダクトの吸気用接続口の開口面積より小さく形成することを特徴とする請求項１に記載の空気調和機の室内機。
【請求項３】
前記排気ファンの空気吐出口と前記埃収容部の空気取入口、前記埃収容部の空気排出口と前記排気ダクトの吸気用接続口の連通は、ゴム磁石あるいはゴム等の緩衝部材を介して行うことを特徴とする請求項１または２に記載の空気調和機の室内機。
【発明の詳細な説明】
【技術分野】
【０００１】
本発明は空気調和機の室内機に係り、特にエアフィルタ清掃装置の構造を改良した空気調和機の室内機に関する。
【背景技術】
【０００２】
空気調和機の室内機にエアフィルタを設け、被調和空気の挨の除去を行っているが、エアフィルタヘの挨付着は、性能低下の要因、省エネの阻害要因となり、いずれの要因も送風性能を悪化させ、空気調和機の空気調和能力を著しく悪化させる。
【０００３】
従来、エアフィルタ清掃装置を備えた空気調和機の室内機において、エアフィルタ清掃装置は、エアフィルタ部にノズルを当て、直接吸引排気する構造、あるいはブラシ等で掻き取り、その後一気に排気する構造（特許文献１）等があるが、いずれの構造もエアフィルタ接触部から室外排気までの経路は一つに繋がっており、その経路を構成することで、室内機が大きくなるという問題があり、スペースの効率が悪かった。また、エアフィルタ清掃装置を備えるために、そのスペースを確保するための特殊な構造を必要とし、そのエアフィルタ清掃構造を実現するために、それらのスペースの確保が必要となり、エアフィルタ清掃装置を備えない空気調和機の室内機に対しても、予め特殊な構造としておかざるをえず、設計的にも標準化という点で大きな制約があった。
【特許文献１】特開２００２−３４０３９５号公報
【発明の開示】
【発明が解決しようとする課題】
【０００４】
本発明は上述した事情を考慮してなされたもので、エアフィルタ清掃装置の構造が簡略化され、小型、安価で、排気ファンあるいは埃排出流路に埃が溜まらない空気調和機の室内機を提供することを目的とする。
【課題を解決するための手段】
【０００５】
上述した目的を達成するため、本発明に係る空気調和機の室内機は、室内機本体の空気吸込口と吹出口を連通する送風路に、エアフィルタ、熱交換器、送風機、前記エアフィルタを清掃するエアフィルタ清掃装置を配置する空気調和機の室内機において、前記エアフィルタ清掃装置は、エアフィルタの表面を移動可能に配置され、前記エアフィルタの埃を除去する挨除去部材を備える挨除去部及び除去した埃を収容する埃収容部を有する清掃ユニットと、前記室内機本体一端側部に配置され、前記清掃ユニットに適宜連通し、この清掃ユニットに収集した埃を機外に排出するための空気吐出口を設けた排気ファンと、搬送された埃と空気を機外に排出するための吸気用接続口を設けた排気ダクトを有する排気ユニットを備え、前記清掃ユニットの埃収容部には一端側に空気取入口、他端側に空気排出口を設け、前記埃収容部の空気取入口の開口面積を前記排気ファンの空気吐出口の開口面積より大きく形成し、前記清掃ユニットが、排気ユニットと連通した状態で、前記排気ファンの空気吐出口と前記埃収容部の空気取入口、前記埃収容部の空気排出口と排気ダクトの吸気用接続口を各々連通し、前記排気ファン運転により、前記埃収容部内に空気を送り込み埃収容部内の埃を空気と共に排気ダクトを介して機外に排出することを特徴とする。
【発明の効果】
【０００６】
本発明に係る空気調和機の室内機によれば、エアフィルタ清掃装置の構造が簡略化され、小形かつ安価で、排気ファンあるいは埃排出流路に埃が溜まらない空気調和機の室内機を提供することができる。
【発明を実施するための最良の形態】
【０００７】
本発明における一実施形態に係る空気調和機の室内機について添付図面を参照して説明する。
【０００８】
図１は本発明における一実施形態に係る空気調和機の室内機の縦断面図であり、図２は本発明における一実施形態に係る空気調和機の室内機本体の一部を切欠して示す斜視図である。
【０００９】
図１及び図２に示すように、本実施形態に係る空気調和機の室内機１は、本体２を有し、この本体２には、その前面部に前部吸込口２ａが開口され、上面部には上部吸込口２ｂが開口され、さらに、下部には吹出口２ｃが開口される。
【００１０】
両吸込口２ａ、２ｂと吹出口２ｃを連通する送風路３には、エアフィルタ４、熱交換器５、送風機６が配される。
【００１１】
エアフィルタ４はフィルタネットが金属化あるいは表面に金属の蒸着がなされ、側面視Ｌ字形状に形成されるエアフィルタの垂直部４１とエアフィルタの水平部４２からなり、エアフィルタの垂直部４１は前部吸込口２ａと熱交換器５の一部を構成する前面側熱交換器５ａ間に配され、前部吸込口２ａから吸い込まれる被調和空気に含まれる埃を除去し、エアフィルタの水平部４２は前部吸込口２ａの一部及び上部吸込口２ｂと熱交換器５の一部を構成する背面側熱交換器５ｂ間に配され、上部吸込口２ｂから吸い込まれる被調和空気に含まれる埃を除去する。
【００１２】
また、エアフィルタ４に対向して、エアフィルタ清掃装置７が配されている。
【００１３】
このエアフィルタ清掃装置７は、エアフィルタ表面に付着した埃を除去して溜める清掃ユニット８と、この清掃ユニット８を適宜移動させる移動機構９と、清掃ユニット８と適宜離間あるいは接触する排気ユニット１０を備える。
【００１４】
清掃ユニット８は、エアフィルタ４に付着した挨を除去例えば掻き取るもので、エアフィルタ４と同様にＬ字形状をなし、エアフィルタの垂直部４１に付着した挨を掻き取る清掃ユニットの垂直部８１と、エアフィルタの水平部４２に付着した挨を掻き取る清掃ユニットの水平部８２からなる。
【００１５】
図３及び図４に示すように、清掃ユニット８は、垂直部８１と水平部８２の外郭を、長方体中空状の側面視Ｌ字形状に形成されるケース８１ａ、８２ａで構成する。
【００１６】
清掃ユニットの垂直部８１は、ケース８１ａにブラシ用開口８１ｂ１が設けられ、内部に、長手方向に沿って埃除去手段である埃掻き取り具としてのブラシ８１ｃを収容する埃除去部８１ｂと、この埃除去部８１ｂに隣接して連通し、空気取入口８１ｄ１を備え除去した埃を収容する空間を形成する埃収容部８１ｄが設けられ、上記ブラシ８１ｃが回転可能に軸受部材８１ｅとモータボックス８１ｆに収容された回転モータ８１ｇ間に軸支されている。
【００１７】
また、清掃ユニットの水平部８２は、ケース８２ａにブラシ用開口８２ｂ１が設けられ、内部に、長手方向に沿って埃除去手段である埃掻き取り具としてのブラシ８２ｃを収容する埃除去部８２ｂと、この埃除去部８２ｂに隣接して連通し、空気排出口８２ｄ１を備え除去した埃を収容する空間を形成する埃収容部８２ｄが設けられ、上記ブラシ８２ｃが回転可能に軸受部材８２ｅと回転モータ８２ｇ間に軸支されている。
【００１８】
さらに、図２に示すように、移動機構９は、本体構成部材２ｄの長手方向に沿ってこの本体構成部材２ｄに取り付けたボールねじ９ａと、本体壁２ｅにその長手方向に沿って取り付けた案内溝部材９ｂ間に、エアフィルタ４に沿って水平移動可能に取り付けられる。
【００１９】
この移動可能な取り付けは、清掃ユニット８の一端を垂直部８１のモータボックス８１ｆの底面に取り付けられボールねじ９ａに螺合するねじ部材９ｃに取り付け、他端を水平部８２の端部に設けた案内ピン９ｄを案内溝部材９ｂの案内溝９ｂ１に摺動可能に溝係合して行なう。
【００２０】
また、ボールねじ９ａは、その一端が本体構成部材２ｄに取り付けた軸受部材９ｅによって軸支され、他端が本体構成部材２ｄに取り付けられたねじ回転モータ９ｆに連結され、このねじ回転モータ９ｆを回転することで、ボールねじ９ａを回転させ、このボールねじ９ａに螺合するねじ部材９ｃを介して、清掃ユニット８を水平移動可能にしている。
【００２１】
本体２の一端側、すなわち軸受部材９ｅ側には、排気ユニット１０が配され、この排気ユニット１０は清掃ユニット８との連通時、埃収容部８１ｄの空気取入口８１ｄ１に連通する排気ファンの空気吐出口１０ａ１を備える排気ファン１０ａと、埃収容部の空気排出口８２ｄ１に連通する吸気用接続口１０ｂ１を備えた排気ダクト１０ｂからなり、さらに、清掃ユニット８との連通時、清掃ユニット８と排気ユニット１０間に介在して、清掃ユニット８の動きを規制し、立上り１１ａを有するＬ字形状の位置決め板１１が設けられる。従って、埃収容部の空気取入口８１ｄ１と排気ファン１０ａの空気吐出口１０ａ１の連通は位置決め板１１に穿設された通気孔１１ｂを介して、埃収容部の空気排出口８２ｄ１と排気ダクト１０ｂの吸気用接続口１０ｂ１への連通は、位置決め板１１に穿設され排気ダクト１０ｂが取り付けられた位置決め板の通気孔１１ｃを介して行なわれる。
【００２２】
図６に示すように、位置決め板の通気孔１１ｂ及び空気取入口８１ｄ１の開口面積は、排気ファンの空気吐出口１０ａ１の開口面積より大きく形成され、図７に示すように、埃収容部の空気排出口８２ｄ１の開口面積は、位置決め板の通気孔１１ｃ及び排気ダクトの吸気用接続口１０ｂ１の開口面積より小さく形成される。
【００２３】
また、図８に示すように、接合部例えば位置決め板の通気孔１１ｂと空気取入口８１ｄ１間に通気孔８１ｈ１を備えたゴム磁石あるいはゴム等の緩衝部材８１ｈを介在させ、図９に示すように、埃収容部の空気排出口８２ｄ１と位置決め板の通気孔１１ｃ間に通気孔８２ｈ１を備えたゴム磁石あるいはゴム等の緩衝部材８２ｈを介在させるのが好ましい。
【００２４】
図６に示すように、位置決め板の通気孔１１ｂ、空気取入口８１ｄ１の開口面積は、排気ファンの空気吐出口１０ａ１の開口面積より大きく形成され、図７に示すように、埃収容部の空気排出口８２ｄ１の開口面積は、位置決め板の通気孔１１ｃ及び排気ダクトの吸気用接続口１０ｂ１の開口面積より小さく形成される。
【００２５】
排気ファン１０ａ及び排気ダクト１０ｂは、空気調和機の換気モード運転時に使用する室内空気入れ替え用の換気ファン及び排気ダクトと兼用するのが好ましい。
【００２６】
エアフィルタ清掃装置７は上記のような構造であり、清掃ユニット８は、埃除去不動作時、図２に点線で示す電気部品収納箱１２の前方の待機位置Ｐに待機し、図１０に示すように、埃除去動作時、清掃ユニット８が排気ユニット１０まで達して排気ユニット１０に密着し、位置決め板の通気孔１１ｂ、１１ｃを介して、埃収容部の空気取入口８１ｄ１と排気ファンの空気吐出口１０ａ１が連通し、埃収容部の空気排出口８２ｄ１と排気ダクトの吸気用接続口１０ｂ１が連通する。
【００２７】
なお、図中符号２ｆはルーバー、符号１３は伸縮自由に巻回された配線である。
【００２８】
次にエアフィルタ清掃装置７の働きについて説明する。
【００２９】
図１及び図２に示すように、前部吸込口２ａ及び上部吸込口２ｂを通り、本体２内に吸い込まれた室内空気は、送風路３に配されたエアフィルタ４で埃が除去され、熱交換器５で空気調和され、送風機６を介して、吹出口２ｃから吹き出される。
【００３０】
このような空気調和運転が長時間行われ、エアフィルタ４に埃が溜まると、埃検出センサがこれを検知して、あるいは所定運転時間を演算して、待機位置Ｐ近傍にある清掃ユニット８の回転モータ８１ｇを回転させてブラシ８１ｃを回転させ、図４に示すように、回転するブラシ８１ｃによりエアフィルタ垂直部４１の埃の除去を開始し、また、回転モータ８２ｇを回転させ、図５に示すように、回転するブラシ８２ｃによりエアフィルタ水平部４２の埃の除去を開始する。これと同時に、ねじ回転モータ９ｆを回転させてボールねじ９ａを回転させ、ねじ部材９ｃを介して、清掃ユニット８を排気ユニット１０方向に水平移動し、エアフィルタ４の清掃を行なう。
【００３１】
ブラシ８１ｃ及びブラシ８２ｃによりエアフィルタ垂直部４１及びエアフィルタ水平部４２から除去された埃は、一時的にブラシ８１ｃ及びブラシ８２ｃの近傍に設けた埃収容部８１ｄ、埃収容部８２ｄに溜められる。
【００３２】
図１０に示すように、清掃ユニット８が水平移動を続行して、清掃ユニット８が排気ユニット１０まで達して位置決め板１１を介して排気ユニット１０に密着すると、位置決め板の通気孔１１ｂ、１１ｃを介して埃収容部の空気取入口８１ｄ１と排気ファンの空気吐出口１０ａ１の連通及び埃収容部の空気排出口８２ｄ１と排気ダクトの吸気用接続口１０ｂ１が連通し、排気ファン１０ａによって生じる空気流によって、埃収容部８１ｄ、８２ｄに空気が送り込まれ溜まった埃は、送り込まれた空気と共に排気ダクト１０ｂを介して室外に排出される。
【００３３】
一連の埃除去動作が完了すると、清掃ユニット８は待機位置Ｐに戻り、次の埃除去動作を待つ。清掃ユニット８がエアフィルタ４の前方を避けて待機するので、通風抵抗にならず、通風効率を高めることができる。
【００３４】
上記のような埃除去動作により、エアフィルタ４に溜まった埃は除去され、自動的に清掃され、空気調和機の空気調和能力が維持される。
【００３５】
埃排出時、排気ファン１０ａにはエアフィルタ４から集めた埃が通過しない排気方式（吐出方式）であり、排気ファン１０ａのブレードに埃が付着することがない。
【００３６】
また、埃収容部の空気取入口８１ｄ１の開口面積を排気ファンの空気吐出口１０ａ１の開口面積より大きく形成すること、さらに、埃収容部の空気排出口８２ｄ１の開口面積を排気ダクトの吸気用接続口１０ｂ１の開口面積より小さく形成して、連通部の下流側の開口面積を大きくすることにより、連通部に埃は溜まることがなく、排気効率の向上及び信頼性を向上させることができる。
【００３７】
さらに、接合部である位置決め板の通気孔１１ｂと埃収容部の空気取入口８１ｄ１間に通気孔８１ｈ１、埃収容部の空気排出口８２ｄ１と位置決め板の通気孔１１ｃ間に、通気孔８２ｈ１を夫々備えたゴム磁石あるいはゴム等の緩衝部材８１ｈ、８２ｈを介在させるので、連通部から空気の漏れがなく、効率よく埃を機外へ排出できる。
【００３８】
また、エアフィルタ清掃装置７は清掃ユニット８と、この清掃ユニット８と分離して形成する排気ユニット１０からなり、両ユニット８、１０は常時連通する必要がないため、双方間を常時連通させるための室内機本体内におけるダクトの配置収納スペースが必要なくなり簡単な構造で、かつエアフィルタ清掃装置７本体自体の小型化が可能となり、さらに、空気調和機室内機の基本構成を、エアフィルタ清掃機能を設けないタイプのものと    共用化を図ることができる。
【００３９】
さらに、埃収容部の空気排出口８２ｄ１と排気ダクトの吸気用接続口１０ｂ１を連通するので、排気ファン１０ａにより、清掃ユニット８に溜まった埃を効率的に排出することができる。
【００４０】
本実施形態に係る空気調和機の室内機によれば、エアフィルタ清掃装置の構造が簡略化され、小形かつ安価で、排気ファンあるいは埃排出流路に埃が溜まらない空気調和機の室内機が実現できる。
【図面の簡単な説明】
【００４１】
【図１】本発明における第１実施形態に係る空気調和機の室内機の縦断面図。
【図２】本発明における第１実施形態に係る空気調和機の室内機の一部を切欠して示す斜視図。
【図３】本発明における一実施形態に係る空気調和機の室内機に用いる清掃ユニットの一部を切欠して示す斜視図。
【図４】図３のＡ−Ａ線に沿う断面図。
【図５】図３のＢ−Ｂ線に沿う断面図。
【図６】本発明における一実施形態に係る空気調和機の室内機に用いる清掃ユニットと排気ユニットの接合部の縦断面図。
【図７】本発明における一実施形態に係る空気調和機の室内機に用いる清掃ユニットと排気ユニットの接合部の縦断面図。
【図８】本発明における一実施形態に係る空気調和機の室内機に用いる清掃ユニットと排気ユニットの他実施形態に係る接合部の縦断面図。
【図９】本発明における一実施形態に係る空気調和機の室内機に用いる清掃ユニットと排気ユニットの他実施形態に係る接合部の縦断面図。
【図１０】本発明における一実施形態に係る空気調和機に用いる清掃ユニットと排気ユニットの連通状態の概念図。
【符号の説明】
【００４２】
１…空気調和機の室内機、２…本体、４…エアフィルタ、４１…エアフィルタ垂直部、４２…エアフィルタ水平部、５…熱交換器、５ａ…前面側熱交換器、６…送風機、７…エアフィルタ清掃装置、８…清掃ユニット、８１…清掃ユニットの垂直部、８１ａ…垂直部のケース、８１ｂ…埃除去部、８１ｂ１…ブラシ用開口、８１ｃ…ブラシ、８１ｄ…埃収容部、８１ｄ１…埃収容部の空気取入口、８２…清掃ユニットの水平部、８２ａ…水平部のケース、８２ｂ…埃除去部、８２ｂ１…ブラシ用開口、８２ｃ…ブラシ、８２ｄ…埃収容部、８２ｄ１…埃収容部の空気排出口、９…移動機構、１０…排気ユニット、１０ａ…排気ファン、１０ａ１…排気ファンの空気吐出口、１０ｂ…排気ダクト、１０ｂ１…排気ダクトの吸気用接続口、１１…位置決め板、１１ａ…立上り、１１ｂ…位置決め板の通気孔、１１ｃ…位置決め板の通気孔。
【図１】
2008039290.tif 000003
【図２】
2008039290.tif 000004
【図３】
2008039290.tif 000005
【図４】
2008039290.tif 000006
【図５】
2008039290.tif 000007
【図６】
2008039290.tif 000008
【図７】
2008039290.tif 000009
【図８】
2008039290.tif 000010
【図９】
2008039290.tif 000011
【図１０】
2008039290.tif 000012